(57)【特許請求の範囲】
【請求項１】
指元側の指穴と指元側の指穴のやや先方に指先側の指穴を併設した構成を備えたオカリーナにおいて、指先側の指穴を設ける位置において先方へ向け指先の腹形状にほぼ沿った形状に湾曲させながらやや盛り上げ、やや盛り上げた部分に指先側の指穴を設けて指先側の指穴に近接した指元側寄りに指元側の指穴を設けた構成を備えたことを特徴とするオカリーナ。
【請求項２】
指元側の指穴と指元側の指穴のやや先方に指先側の指穴を併設した構成を備えたオカリーナにおいて、両指穴を併設した位置において指がちょうどはまる大きさとしたくぼみを、両指穴をつなぐ方向に形成し、くぼみの先方側は先方へ向け指先の腹形状にほぼ沿った形状に湾曲させながらやや盛り上げ、やや盛り上げた部分に指先側の指穴を設けて指先側の指穴に近接した指元側寄りに指元側の指穴を設けた構成を備えたことを特徴とするオカリーナ。
【発明の詳細な説明】
【０００１】
【発明の属する技術分野】
本発明は、オカリーナに関するものである。
【０００２】
【従来の技術】
本発明は、オカリーナにおいて指元側の指穴と指元側の指穴のやや先方に指先側の指穴を併設する場合に、指先側の指穴をふさぎ易くするためのものである。図１は本発明の１実施例を示す斜視図であるが、図１を借りて従来のオカリーナの１例を説明する。図１に示すオカリーナにおいては、左手・右手の人差指・中指・薬指・小指でふさぐ指穴を表側にそれぞれ設けている。まず、左手用の人差指穴１、中指穴２、薬指穴３ａ・３ｂ、小指穴４を一端側から並べてそれぞれ設けている。また、右手用の小指穴５、薬指穴６、中指穴７ａ・７ｂ、人差指穴８を他端側からそれぞれ設けている。
【０００３】
ところで、従来のオカリーナにおいては、左手用の二つの薬指穴３ａ・３ｂは図示したものとは異なり、右手用の二つの中指穴７ａ・７ｂと同様にほぼ平面又はやや膨らんだ面に沿って設けている。
【０００４】
【発明が解決しようとする課題】
前記従来のオカリーナを用いて演奏する場合、左手の薬指で二つの薬指穴３ａ・３ｂを同時にふさぐとき、指元側の薬指穴３ａは容易にふさぐことができても指先側の薬指穴３ｂは完全にはふさぐことができずに空気が漏れ、目的の音をなかなか出せないこともある。指先の腹が指先側の薬指穴３ｂから上方へ離れる方向に湾曲しているためである。特に指の短い人にこの傾向が強く、正確な音色を出すのが大変難しくなる。
【０００５】
本発明が解決しようとする課題は、指先側の指穴を設ける位置において先方へ向け指先の腹形状にほぼ沿った形状に湾曲させながらやや盛り上げ、やや盛り上げた部分に指先側の指穴を設けて指先側の指穴に近接した指元側寄りに指元側の指穴を設け、だれでも容易に二つの指穴を同時にふさぐことができるようにしたオカリーナを提供する点にある。
【０００６】
【課題を解決するための手段】
請求項１に係るオカリーナは、指元側の指穴と指元側の指穴のやや先方に指先側の指穴を併設した構成を備えたオカリーナにおいて、指先側の指穴を設ける位置において先方へ向け指先の腹形状にほぼ沿った形状に湾曲させながらやや盛り上げ、やや盛り上げた部分に指先側の指穴を設けて指先側の指穴に近接した指元側寄りに指元側の指穴を設けた構成を備えたことを特徴とするものである。指先側の指穴を設ける位置において先方へ向け指先の腹形状にほぼ沿った形状に湾曲させながらやや盛り上げ、やや盛り上げた部分に指先側の指穴を設けて指先側の指穴に近接した指元側寄りに指元側の指穴に設けたものにおいて、指元側の指穴と共に指先側の指穴もふさぐには、単に指を前進させればよい。指先が先方の湾曲面に当たったところで前進が止まり、このとき自動的に両指穴をふさいでいる。
【０００７】
請求項２に係るオカリーナは、指元側の指穴と指元側の指穴のやや先方に指先側の指穴を併設した構成を備えたオカリーナにおいて、両指穴を併設した位置において指がちょうどはまる大きさとしたくぼみを、両指穴をつなぐ方向に形成し、くぼみの先方側は先方へ向け指先の腹形状にほぼ沿った形状に湾曲させながらやや盛り上げ、やや盛り上げた部分に指先側の指穴を設けて指先側の指穴に近接した指元側寄りに指元側の指穴に設けた構成を備えたことを特徴とするものである。両指穴を併設した位置において指がちょうどはまる大きさとしたくぼみを、両指穴をつなぐ方向に形成し、くぼみの先方側は先方へ向け指先の腹形状にほぼ沿った形状に湾曲させながらやや盛り上げ、やや盛り上げた部分に指先側の指穴を設けて指先側の指穴に近接した指元側寄りに指元側の指穴に設けたものにおいて、指元側の指穴と共に指先側の指穴もふさぐには、単にくぼみに沿って指を前進させればよい。指先が先方の湾曲面に当たったところで前進が止まり、このとき自動的に両指穴をふさいでいる。くぼみが指の移動をガイドするため、操作が楽である。
【０００８】
【発明の実施の形態】
請求項１に係るオカリーナは、指元側の指穴と指元側の指穴のやや先方に指先側の指穴を併設した構成を備えたオカリーナにおいて、指先側の指穴を設ける位置において先方へ向け指先の腹形状にほぼ沿った形状に湾曲させながらやや盛り上げ、やや盛り上げた部分に指先側の指穴を設けて指先側の指穴に近接した指元側寄りに指元側の指穴に設けた構成を備えたことを特徴とするものである。
【０００９】
請求項２に係るオカリーナは、指元側の指穴と指元側の指穴のやや先方に指先側の指穴を併設した構成を備えたオカリーナにおいて、両指穴を併設した位置において指がちょうどはまる大きさとしたくぼみを、両指穴をつなぐ方向に形成し、くぼみの先方側は先方へ向け指先の腹形状にほぼ沿った形状に湾曲させながらやや盛り上げ、やや盛り上げた部分に指先側の指穴を設けて指先側の指穴に近接した指元側寄りに指元側の指穴を設けた構成を備えたことを特徴とするものである。
【００１０】
本発明は１本の指用の指穴を二つ併設する場合に適用するものであるが、特に薬指用の指穴に適用するのに最適である。しかし、中指用等に適用することもできる。
【００１１】
【実施例】
本発明の１実施例を図１・２に基づいて説明する。図１はその実施例を示す斜視図、図２は図１のＡ−Ａ拡大断面図である。従来の技術の欄で説明したとおり、オカリーナの表側に左手用の人差指穴１、中指穴２、薬指穴３ａ・３ｂ、小指穴４を一端側からそれぞれ並べて設け、右手用の小指穴５、薬指穴６、中指穴７ａ・７ｂ、人差指穴８を他端側からそれぞれ設けている。図２がはっきり示すように、左手用の薬指穴３ａ・３ｂを設ける位置において薬指がちょうどはまる大きさとした浅いくぼみ９を、両薬指穴３ａ・３ｂをつなぐ方向へ形成し、くぼみ９の指先側は薬指の指先の腹形状にほぼ沿った形状に湾曲させながらやや盛り上げている。そして、やや盛り上げた部分に指先側の薬指穴３ｂを設け、薬指穴３ｂに近接した指元側寄りに指元側の薬指穴３ａを設けている。
【００１２】
以上のものは次のように操作する。オカリーナを両手で持つとき、左手の薬指はくぼみ９の位置に位置させる。そして、指元側の薬指穴３ａだけふさぐ際は従来のものと同じ操作をする。指先側の薬指穴３ｂも共にふさぐには、単にくぼみ９に沿って薬指を前進させればよい。指先がくぼみ９の先方の湾曲面に当たったところで前進が止まり、このとき自動的に指先側の薬指穴３ｂもふさいでいる。
【００１３】
【発明の効果】
本発明に係るオカリーナにおいては、指先側の指穴を設ける位置において先方へ向け指先の腹形状にほぼ沿った形状に湾曲させながらやや盛り上げ、やや盛り上げた部分に指先側の指穴を設けて指先側の指穴に近接した指元側寄りに指元側の指穴を設け、だれでも容易に二つの指穴を同時にふさぐことができる。
【図面の簡単な説明】
【図１】本発明の１実施例を示す斜視図である。
【図２】図１のＡ−Ａ拡大断面図である。
【符号の説明】
１  人差指穴
２  中指穴
３ａ・３ｂ  薬指穴
４  小指穴
５  小指穴
６  薬指穴
７ａ・７ｂ  中指穴
８  人差指穴
【図１】
0004701476.tif 000002
【図２】
0004701476.tif 000003